(57)【要約】【課題】コネクタの破損が防止されると共に携帯型充電器の使用時であっても快適に携帯情報端末を使用することができる携帯型充電器を提供する。【解決手段】携帯情報端末用の携帯型充電器１０は電池１０ａを保持または収容可能な電池ボックス１０ｂと、電池と携帯情報端末とを導通する可撓性ケーブル１０ｄと、可撓性ケーブルに電気的に接続されると共に携帯情報端末のコネクタ１ａに接続可能なコネクタ１０ｅと、電池ボックスが前記携帯情報端末の筐体の側面上に位置するように電池ボックスを携帯情報端末の筐体に保持又は固定する保持固定手段１０ｆとを具備する。これにより、電池ボックスを携帯情報端末の筐体に保持、固定することができ、よって携帯型充電器の使用時であっても快適に携帯情報端末を使用することができる。【選択図】図２
2008228550.tif 000002
【特許請求の範囲】
【請求項１】
携帯情報端末用の携帯型充電器であって、
電池を保持または収容可能な電池ボックスと、
前記電池と前記携帯情報端末とを導通する可撓性ケーブルと、
前記可撓性ケーブルに電気的に接続されると共に前記携帯情報端末のコネクタに接続可能なコネクタと、
前記電池ボックスが前記携帯情報端末の筐体の側面上に位置するように前記電池ボックスを前記携帯情報端末の筐体に保持又は固定する保持固定手段とを具備する、携帯型充電器。
【請求項２】
前記保持固定手段は前記電池ボックスの側面が前記携帯情報端末の筐体の側面のうち該携帯情報端末の使用者が携帯情報端末を把持する側の側面に当接するように前記電池ボックスを前記携帯情報端末の筐体に保持又は固定する、請求項１に記載の携帯型充電器。
【請求項３】
前記電池ボックスまたは前記筐体に装着可能なコネクタカバーをさらに具備し、
該コネクタカバーは前記コネクタが前記携帯情報端末のコネクタに接続された時に前記コネクタを覆う、請求項１又は２に記載の携帯型充電器。
【発明の詳細な説明】
【技術分野】
【０００１】  本発明は携帯電話やＰＤＡ等の携帯情報端末に使用する携帯型充電器に関する。
【背景技術】
【０００２】  携帯電話やＰＤＡ等の携帯情報端末では、バッテリの蓄電量が低下すると使用することができなくなってしまう。特に、外出中に蓄電量の低下により使用不能になると、外部電源による充電が困難であるため、その外出中ずっと携帯情報端末を使用できないという不便を使用者に強いることとなる。【０００３】  そこで、斯かる問題を解決すべく携帯型充電器が考案された。携帯型充電器には電池が内蔵されており、この電池から携帯電話に電力を供給することで、バッテリの蓄電量が低下した場合であっても携帯情報端末を使用することができるようになると共に携帯情報端末のバッテリの充電を行うことができる。【０００４】  このような携帯型充電器について図面を参照してより詳細に説明する。図１は、携帯電話１用の従来の携帯型充電器２、３を示している。【０００５】  図１（Ａ）に示したように、従来の携帯型充電器２は、その筐体と一体的に形成されたコネクタ２ａを有し、このコネクタ２ａは携帯型充電器２の筐体内に配置された電池２ｂに接続される。さらに、コネクタ２ａは携帯電話１の外部接続用のコネクタ１ａと接続することができるように形成されている。携帯型充電器２のコネクタ２ａを携帯電話１のコネクタ１ａに接続することにより電池２ｂから両コネクタ２ａ、１ａを介して携帯電話１に電力を供給することができる（特許文献１参照）。【０００６】  図１（Ｂ）は上記図１（Ａ）に示した携帯型充電器とは別の携帯型充電器３を示している。携帯型充電器３は、その筐体とは別体として形成されたコネクタ３ａを有し、このコネクタ３ａは可撓性ケーブル３ｃの一方の端部に接続される。可撓性ケーブル３ｃの他方の端部は携帯型充電器３の筐体内に配置された電池３ｂに接続される。コネクタ３ａは携帯電話１の外部接続用のコネクタ１ａと接続することができるように形成されている。携帯型充電器３のコネクタ３ａを携帯電話１のコネクタ１ａに接続することにより、電池３ｂから可撓性ケーブル３ｃ、両コネクタ３ａ、１ａを介して携帯電話１に電力を供給することができる（特許文献２参照）。【０００７】
【特許文献１】特開２００６−１５６３０９号公報
【特許文献２】特開２００６−２２３０８６号公報
【発明の開示】
【発明が解決しようとする課題】
【０００８】  しかしながら、上述したような従来の携帯型充電器２、３には以下の問題がある。
まず、図１（Ａ）に示した携帯型充電器２では、携帯電話１に携帯型充電器２が装着されると携帯電話１の筐体外周から携帯型充電器２が突出するため、携帯型充電器２に不用意に使用者の手等が当たってしまうことがある。この場合、両コネクタ１ａ、２ａ間の嵌合部に大きな衝撃が加わるため、これらコネクタ１ａ、２ａの破損を招いてしまう。また、携帯電話１に携帯型充電器２のコネクタ２ａが装着されたままの状態で携帯電話１をポケットやかばん等に入れておくと、使用者の気づかぬうちに両コネクタ１ａ、２ａ間の嵌合が解かれて携帯電話１の充電が行われなくなってしまうことがある。【０００９】  さらに、携帯型充電器２が装着されたまま携帯電話１で通話を行うと、携帯型充電器２の電池の重量により両コネクタ１ａ、２ａ間の嵌合が解かれて携帯型充電器２が落下してしまうことがある。【００１０】  次に、図１（Ｂ）に示した携帯型充電器３では、携帯型充電器３を接続したまま携帯電話１で通話を行うと可撓性ケーブル３ｃに手が触れやすくなると共に使用者自身が携帯型充電器３の筐体を支持する必要があるため、使用者の通話を困難にさせる虞がある。また、通話中に可撓性ケーブル３ｃに手が触れて両コネクタ１ａ、３ａ間の嵌合が解かれて携帯電話１の充電が行われなくなってしまうことがある。【００１１】  そこで、上記問題に鑑みて本発明はコネクタの破損が防止されると共に携帯型充電器の使用時であっても快適に携帯情報端末を使用することができる携帯型充電器を提供することを目的とする。
【課題を解決するための手段】
【００１２】  上記の問題を解決するために、請求項１に係る発明では、携帯情報端末用の携帯型充電器であって、電池を保持または収容可能な電池ボックスと、前記電池と前記携帯情報端末とを導通する可撓性ケーブルと、前記可撓性ケーブルに電気的に接続されると共に前記携帯情報端末のコネクタに接続可能なコネクタと、前記電池ボックスが前記携帯情報端末の筐体の側面上に位置するように前記電池ボックスを前記携帯情報端末の筐体に保持又は固定する保持固定手段とを具備する。
請求項１に係る発明によれば、使用者が携帯型充電器を携帯情報端末とは別に保持する必要がないため使用者は携帯情報端末を容易に使用することができる。また、携帯型充電器の本体が携帯情報端末に保持固定されているため、携帯情報端末の使用中に携帯型充電器が誤って落下することがなくなる。さらに、携帯型充電器が携帯情報端末の筐体の側面上に配置されることから携帯情報端末の使用中に使用者の手等が携帯型充電器に不用意に当たってしまうことが防止され、よって携帯情報端末及び携帯型充電器のコネクタに大きな衝撃が加わるのが防止される。加えて、携帯型充電器が携帯情報端末の筐体に保持・固定されるため、携帯型充電器の電池の重量により携帯情報端末及び携帯型充電器のコネクタ間の嵌合が解かれて非通電状態となってしまうことを回避できる。【００１３】  また、請求項２に係る発明では、前記保持固定手段は前記電池ボックスの側面が前記携帯情報端末の筐体の側面のうち該携帯情報端末の使用者が携帯情報端末を把持する側の側面に当接するように前記電池ボックスを前記携帯情報端末の筐体に保持又は固定する。
請求項２に係る発明によれば、使用者が携帯情報端末を把持する手と携帯情報端末との間に携帯型充電器が配置されるため、使用者は携帯型充電器を接続した状態であっても安定して携帯情報端末を保持することができる。【００１４】  さらに、請求項３に係る発明では、前記電池ボックスまたは前記筐体に装着可能なコネクタカバーをさらに具備し、該コネクタカバーは前記コネクタが前記携帯情報端末のコネクタに接続された時に前記コネクタを覆う。
請求項３に係る発明によれば、コネクタ間の嵌合部をコネクタカバーが保護するので、コネクタの嵌合部に手等が当たることがなくなり、コネクタの破損を防止することができる。また、携帯型充電器を接続した状態で携帯情報端末をポケットや鞄の中に入れても、コネクタ間の嵌合が解除されることがなくなり、通電状態を維持することができる。また、携帯型充電器の本体とコネクタを接続する可撓性ケーブルがコネクタカバー内にまとめられるため、使用者が携帯型充電器を接続した状態で携帯情報端末を持ち歩いても可撓性ケーブルが使用者の邪魔にならならい。
【発明の効果】
【００１５】  本発明によれば、コネクタの破損が防止されると共に携帯型充電器の使用時であっても快適に携帯情報端末を使用することができる携帯型充電器が提供される。
【発明を実施するための最良の形態】
【００１６】  以下、図面を参照して本発明の携帯型充電器の実施形態について詳細に説明する。以下では、携帯情報端末として携帯電話を用いた場合を例にとって説明する。図２（Ａ）、（Ｂ）は、それぞれ本発明の携帯電話１及び携帯型充電器１０の正面図及び側面図である。【００１７】  携帯型充電器１０は、電池１０ａ、電池ボックス１０ｂ、基板１０ｃ、可撓性ケーブル１０ｄ及びコネクタ１０ｅを具備する。電池ボックス１０ｂ内には電池１０ａが保持又は収容される。電池１０ａは基板１０ｃに電気的に接続されると共に基板１０ｃは可撓性ケーブル１０ｄを介してコネクタ１０ｅに電気的に接続される。さらに、コネクタ１０ｅは携帯電話１に設けられた外部接続用のコネクタ１ａに連結可能である。従って、携帯型充電器１０のコネクタ１０ｅが携帯電話１のコネクタ１ａに接続されているときには、電池１０ａの電力を基板１０ｃ、可撓性ケーブル１０ｄ、両コネクタ１０ｅ、１ａを介して携帯電話１に供給することができる。なお、電池１０ａは携帯電話１に電力を供給できるバッテリ等であればよく、例えば、携帯音楽プレイヤーやＰＤＡ等を電池として用いることもできる。この場合、電池ボックス１０ｂは携帯音楽プレイヤーやＰＤＡ等を保持することができれば如何なる構成であってもよい。【００１８】  携帯型充電器１０はさらに電池ボックス１０ｂに取り付けられたベルト１０ｆを有する。本実施形態では携帯型充電器１０は二つのベルト１０ｆを有し、これらベルト１０ｆの一方は電池ボックス１０ｂの一つの端部に近接して配置され、他方は電池ボックス１０ｂの上記一つの端部と反対側の端部に近接して配置される。各ベルト１０ｆは二つのベルト部分に分かれており、これらベルト部分の先端にはマジックテープ（図示せず）が配置される。【００１９】  これらベルト１０ｆのベルト部分をそれぞれ携帯電話１の筐体に巻きつけ、ベルト部分の先端に配置されたマジックテープをこのベルト部分に対応する他のベルト部分に配置されたマジックテープと結合することにより、携帯型充電器１０の電池ボックス１０ｂを携帯電話１に保持及び固定することができる。特に、本実施形態ではマジックテープを採用していることにより、携帯電話１の厚さや形状に応じてベルトの締め付け具合を調節することができる。このベルト１０ｆにより、電池ボックス１０ｂが携帯電話の筐体の側面上に位置するように電池ボックス１０ｂが携帯電話の筐体に保持又は固定される。特に本実施形態のベルト１０ｆによれば電池ボックス１０ｂの側面が携帯電話１の筐体の側面のうち携帯電話の使用者が携帯電話１を把持する側の側面に当接するように電池ボックス１０ｂが携帯電話の筐体上に保持又は固定される。【００２０】  なお、上記実施形態では、電池ボックス１０ｂを携帯電話１に保持又は固定するための手段としてベルト１０ｆを用いているが、電池ボックス１０ｂを携帯電話１に保持又は固定することができれば他の如何なる手段を用いてもよい。例えば、ベルト１０ｆをゴム等の弾性体の輪で構成し、それを伸ばしながらその輪内に携帯電話１を挿入し、その後弾性体を収縮させることで電池ボックス１０ｂを固定させようにしてもよい。この時、ベルト１０ｆが操作ボタンにかか��と操作性を損なう恐れがあるので、操作ボタン１ｂが配置された領域を避けるように弾性体を構成するのが好ましい。さらに、近年主流となってきた二つ折り携帯電話の折りたたみの妨げになりにくいように、ベルト１０ｆ及び弾性体はできる限り薄いものが良い。また、ベルト１０ｆ及び弾性体を携帯電話１の操作ボタン１ｂ上にベルト１０ｆが配置されるような構成としてもよいが、この場合にはベルト１０ｆ及び弾性体を薄く透明な材料で形成し、透過して見える操作ボタン１ｂを見ながら操作することができるようにするのが好ましい。【００２１】  或いは保持・固定手段として、クレードル等の置き台に携帯電話１を装着する時に用いる携帯電話１が有するロック用の溝（図示せず）に係合可能なロック機構を携帯型充電器１０に設け、これらを嵌合させることで電池ボックス１０ｂを保持・固定するような構成としてもよい。また、電池ボックス１０ｂの一部に吸盤（図示せず）を設け、それを携帯電話１の外周面に取り付け、電池ボックス１０ｂを携帯電話１に保持・固定するようにしてもよい。さらに、クリップのように、外周の２方向から携帯電話１を挟む構成でも良い。全ての場合において、携帯電話１と接する部位にすべり止め（図示しない）を設けることにより、電池ボックス１０ｂをより強固に保持・固定することができるようになる。【００２２】  さらに、図２に示した実施形態では、携帯型充電器１０によって端部にコネクタ１ａが設けられた携帯電話１に充電する場合を示しているが、横側部（図２（ｂ）に示した携帯電話１の部分）にコネクタが設けられた携帯電話にも適用可能である。この場合も、図２に示した実施形態と同様の位置に電池ボックス１０ｂが保持・固定される。また、上記全ての場合において、携帯電話１をユーザーが持った時に手と携帯電話１が形成する空間に納まるように電池ボックス１０ｂ保持・固定するのが好ましい。このような構成によりユーザーの使いやすさが向上する。【００２３】  上述した構成により、携帯電話１に電池ボックス１０ｂを保持及び固定した状態で、コネクタ１０ｄをコネクタ１ａに接続することにより、携帯型充電器１０から携帯電話１に、安定的に電力を供給することができるようになる。また、携帯電話１がサービス圏外にある時などは、電池ボックス１０ｂからの電力供給が不必要であるので、電池ボックス１０ｂから給電を選択可能にするＯＮ／ＯＦＦを切り替えるスイッチを設けることで、電池ボックス１０ｂから携帯電話１への給電を停止し、電池ボックス１０ｂの電池１０ａの蓄電の浪費を防止することができる。【００２４】  携帯型充電器１０は、さらにコネクタカバー１１を有する。コネクタカバー１１にはストラップ１１ｂが取り付けられており、このストラップ１１ｂは電池ボックス１０ｂに取り付けられる。コネクタカバー１１の爪１１ａは携帯型充電器１０の電池ボックス１０ｂに設けられた溝１０ｇと係合可能であり、これによりコネクタカバー１１を電池ボックス１０ｂに固定することができる。このようにコネクタカバー１１を固定することにより、コネクタ１０ｅとコネクタ１ａとの嵌合部を衝撃から保護することができる。このコネクタカバー１１は、嵌合部を保護することができれば、どのような材料、形状であってもよい。また、コネクタ１０ｅとコネクタ１ａとの嵌合部を覆うことができるように、コネクタカバー１１を携帯電話１に直接固定するようにしてもよい。また、可撓性ケーブル１０ｄに使用者等の手が謝って触れることのないように、コネクタカバー１１が可撓性ケーブル１０ｄも覆うことができるように構成するのが好ましい。
【図面の簡単な説明】
【００２５】
【図１】従来の携帯型充電器及び携帯電話の正面図である。
【図２】本発明の携帯型充電器及び携帯電話の正面図及び側面図である。
【符号の説明】
【００２６】１  携帯電話
１０  携帯型充電器
１０ａ  電池
１０ｂ  電池ボックス
１０ｄ  可撓性ケーブル
１０ｅ  コネクタ
１０ｆ  ベルト
１１  コネクタカバー
【図１】
2008228550.tif 000003
【図２】
2008228550.tif 000004